(57)【特許請求の範囲】
【請求項１】
調理物の出し入れの際に開閉されるドアを備え、焼き網または該焼き網に調理皿を取り付けた状態で前記調理物が調理されるオーブントースターであって、
前記焼き網は、前記調理物が載せられる網本体と、
前記ドアに設けられる前係合部に係合される前被係合部と前記調理皿の手前からの前記焼き網への取り付けの際に前記調理皿が案内され取り付けられるガイド取り付け部および  前記調理皿が前記焼き網へ取り付けられた際にストッパとなるストッパ部と後方に向け付勢されオーブントースター本体に設けられる皿取り付け部に係合される後被係合部とを有する調理皿取り付け部とを
具え、
前記ガイド取り付け部は、
前記調理皿の左右の側部上端であって外側方に突き出て形成される側上端縁部の側口縁部の下部および調理皿の左右の側板の外側方の外面を案内し、
前記調理皿取り付け部は、
左右各１本の線材でそれぞれ形成され、前記網本体の左右側端の前後方向に延びる両側端線材にそれぞれ接合される
ことを特徴とするオーブントースター。
【請求項２】
前記調理皿取り付け部は、前記網本体に溶接で固定される
ことを特徴とする請求項１に記載のオーブントースター。
【請求項３】
オーブントースターで調理物の調理がなされる際に使用される焼き網であって、
前記調理物が載せられる網本体と、前記調理物の出し入れの際に開閉されるドアに設けられる前係合部に係合される前被係合部と調理皿の手前からの前記焼き網への取り付けの際に前記調理皿が案内され取り付けられるガイド取り付け部および前記調理皿が前記焼き網へ取り付けられた際にストッパとなるストッパ部と後方に向け付勢されオーブントースター本体に設けられる皿取り付け部に係合される後被係合部とを有する調理皿取り付け部を具え、
前記ガイド取り付け部は、
前記調理皿の左右の側部上端であって外側方に突き出て形成される側上端縁部の側口縁部の下部および調理皿の左右の側板の外側方の外面を案内し、
前記調理皿取り付け部は、
左右各１本の線材でそれぞれ形成され、前記網本体の左右側端の前後方向に延びる両側端線材にそれぞれ接合される
ことを特徴とする焼き網。
【請求項４】
前記調理皿取り付け部は、前記網本体に溶接で固定される
ことを特徴とする請求項３に記載の焼き網。
【発明の詳細な説明】
【技術分野】
【０００１】
本発明は、パン、グラタン等を調理するためのオーブントースターおよび焼き網に関する。
【背景技術】
【０００２】
図１３は、従来のオーブントースター１０１のドア１０２を開いた状態を示す斜視図である。
従来、オーブントースター１０１は、ドア１０２を前方に向けて開くと、ドア１０２の両側部の支持部材取り付け部１０２ａに係合された網支持部材１０３が、ドア１０１とともに引き出されてくる。
【０００３】
図１４(ａ)は従来のオーブントースター１０１に使用する焼き網１０４を斜め上方から見た斜視図であり、図１４(ｂ)は従来のオーブントースター１０１の焼き網１０４を斜め下方から見た斜視図である。図１５は、従来のオーブントースター１０１でパンをトーストする場合のドア１０２を開いた状態を示す斜視図である。
【０００４】
オーブントースター１０１でパンをトーストする場合には、図１３に示すオーブントースター１０１内の網支持部材１０３の上に、焼き網１０４(図１４４(ａ)参照)を載せて、図１５に示すオーブントースター１０１の状態とする。そして、オーブントースター１０１内の焼き網１０４の上に食パン等を置いて、ドア１０２を閉めて、タイマ操作つまみ１０５(図１３参照)を廻してヒータ(図示せず)で加熱して調理を行う。
【０００５】
図１６は従来のオーブントースター１０１に使用するオーブン皿１０６を斜め上方から見た斜視図である。図１７は、従来のオーブントースター１０１でグラタン等を焼く場合のドア１０２を開いた状態を示す斜視図である。
オーブントースター１０１でグラタン等を焼く場合には、網支持部材１０３(図１３参照)の上に、オーブン皿１０６(図１６参照)を載せて、図１７に示すオーブントースター１０１の状態とする。そして、オーブントースター１０１のオーブン皿１０６の上に皿に入れたグラタン等を置いて、ドア１０２を閉めて、タイマ操作つまみ１０５を廻してヒータ(図示せず)で加熱してグラタン等を調理する。
【０００６】
図１８は、従来のオーブントースター１０１で焼き汁がでるフライ等を温める場合のドア１０２を開いた状態を示す斜視図である。
オーブントースター１０１で焼き汁がでるフライ等を温める場合には、網支持部材１０３(図１３参照)の上に、オーブン皿１０６(図１６参照)を載せて、さらに網支持部材１０３の上のオーブン皿１０６の上に焼き網１０４(図１４参照)を載せて、図１８に示すオーブントースター１０１の状態とする。そして、オーブン皿１０６の上の焼き網１０４の上にフライ等を置いて、ドア１０２を閉めて、タイマ操作つまみ１０５を廻してヒータ(図示せず)で加熱してフライ等を調理する。
【０００７】
ここで、図１４(ａ)に示す焼き網１０４は、図１４(ｂ)に示すように、網本体１０４ｈに、一対の位置決め部１０４a1が形成された位置決め用線材１０４ａと一対の位置決め部１０４ｂ1が形成された位置決め用線材１０４ｂとが溶接され形成されている。
一方、図１６に示すオーブン皿１０６は、所定厚のアルミ板が絞り成形により所定の形状に形成される。オーブン皿１０６には、図１３に示す網支持部材１０３の所定位置に位置決めするため、下方に突出した形状の４つの位置決め凹部１０６ａが形成されている。
なお、オーブントースターに係わる先行技術文献としては下記のものがあるが、直接、本願の構成に係る先行技術文献は把握していない。
【先行技術文献】
【特許文献】
【０００８】
【特許文献１】特開２００１−３２４１５０号公報
【特許文献２】特開２００１−２１５０２２号公報
【発明の概要】
【発明が解決しようとする課題】
【０００９】
ところで、上述したように従来のオーブントースター１０１は、パンをトーストする場合には、図１５に示すように、網支持部材１０３(図１３参照)の上に、焼き網１０４(図１４(ａ)参照)を載せて行い、オーブン皿１０６(図１６参照)をオーブントースター１０１の外に置く。
また、グラタン等を焼く場合には、図１７に示すように、網支持部材１０３(図１３参照)の上に、オーブン皿１０６を載せて行い、焼き網１０４をオーブントースター１０１の外に置く。
また、フライ等を暖める場合には、図１８に示すように、網支持部材１０３(図１３参照)の上に、オーブン皿１０６(図１６参照)と焼き網１０４(図１４(ａ)参照)とを載せて行う。
【００１０】
そのため、オーブントースター１０１での調理に際して、焼き網１０４、オーブン皿１０６を出し入れする必要があり、焼き網１０４、オーブン皿１０６の出し入れが頻発し、取扱い性に難がある。
すなわち、パンをトーストする場合、グラタン等を焼く場合、フライ等を温める場合等に応じて、焼き網１０４および／またはオーブン皿１０６を網支持部材１０３(図１３参照)の上に置き換え、使用しない焼き網１０４またはオーブン皿１０６はオーブントースター１０１外に出す必要がある。
【００１１】
一方、グラタン等を焼く場合には、焼き網１０４をオーブントースター１０１の外に出さねばならない。つまり、焼き網１０４を使わない場合には、焼き網１０４を置くスペースを確保する必要がある。
また、図１４(ａ)に示す焼き網１０４は、図１４(ｂ)に示すように、網本体１０４ｈと、一対の位置決め部１０４a1が形成された位置決め用線材１０４ａと、一対の位置決め部１０４ｂ1が形成された位置決め用線材１０４ｂとの３部品から形成されている。
【００１２】
一方、図１３に示すように、焼き網１０４等を載せる網支持部材１０３は、支持部材本体１０３ａと、焼き網１０４、オーブン皿１０６のストッパであるストッパ部１０３ｂと、ドア１０２の両側部の支持部材取り付け部１０２ａに係合させる一対の係合部１０３ｃ1、１０３ｃ2と、トースター本体１０１Ｈに取り付けるための取り付け部１０３ｄ1、１０３ｄ2との６部品を溶接して形成されている。
このように、焼き網１０４は３部品で構成され、網支持部材１０３は６部品で構成されることから、それぞれ部品点数が多く、部品コストが、高くなっている。
また、焼き網１０４、網支持部材１０３は、部品点数が多いため、溶接作業が煩雑となり、設計作業を含めた製造コストが高い。
【００１３】
また、焼き網１０４、網支持部材１０３の部品点数が多いことから、構成が複雑化しており、メンテナンスが悪い。例えば、焼き網１０４、網支持部材１０３の不具合によって、焼き網１０４および／または網支持部材１０３を交換する必要がある。
さらに、オーブン皿１０６(図１６参照)に、下方に突出した４つの位置決め凹部１０６ａを形成する必要があり、絞り成形の型が複雑化している。
【００１４】
また、焼き網１０４のオーブントースター１０１(図１３参照)内の網支持部材１０３への位置決めは、図１４(ｂ)に示す一対の位置決め部１０４a1と一対の位置決め部１０４ｂ1で行っているため、ユーザが焼き網１０４(図１４(ａ)参照)をオーブントースター１０１(図１３参照)に取り付ける場合、ユーザが焼き網１０４の一対の位置決め部１０４a1、１０４ｂ1をオーブントースター１０１内の網支持部材１０３に係合せねばならず、使い勝手がよいとは言い難い。
【００１５】
同様に、オーブン皿１０６(図１６参照)のオーブントースター１０１(図１３参照)内の網支持部材１０３への位置決めは、４つの位置決め凹部１０６ａで行っているため、ユーザがオーブン皿１０６をオーブントースター１０１(図１３参照)に取り付ける場合、ユーザがオーブン皿１０６の４つの位置決め凹部１０６ａをオーブントースター１０１内の網支持部材１０３に係合せねばならず、使い勝手がよいとは言い難いという不都合がある。
【００１６】
本発明は上記実状に鑑み、取扱い勝手が良好であり、構成簡素でコスト低減が可能なオーブントースターおよび焼き網の提供を目的とする。
【課題を解決するための手段】
【００１７】
上記目的を達成すべく、第１の本発明に関わるオーブントースターは、調理物の出し入れの際に開閉されるドアを備え、焼き網または該焼き網に調理皿を取り付けた状態で前記調理物が調理されるオーブントースターであって、前記焼き網は、前記調理物が載せられる網本体と、前記ドアに設けられる前係合部に係合される前被係合部と前記調理皿の手前からの前記焼き網への取り付けの際に前記調理皿が案内され取り付けられるガイド取り付け部および前記調理皿が前記焼き網へ取り付けられた際にストッパとなるストッパ部と後方に向け付勢されオーブントースター本体に設けられる皿取り付け部に係合される後被係合部とを有する調理皿取り付け部を具え、前記ガイド取り付け部は、前記調理皿の左右の側部上端であって外側方に突き出て形成される側上端縁部の側口縁部の下部および調理皿の左右の側板の外側方の外面を案内し、前記調理皿取り付け部は、左右各１本の線材でそれぞれ形成され、前記網本体の左右側端の前後方向に延びる両側端線材にそれぞれ接合されている。
【００１８】
第２の本発明に関わる焼き網は、オーブントースターで調理物の調理がなされる際に使用される焼き網であって、前記調理物が載せられる網本体と、前記調理物の出し入れの際に開閉されるドアに設けられる前係合部に係合される前被係合部と調理皿の手前からの前記焼き網への取り付けの際に前記調理皿が案内され取り付けられるガイド取り付け部および前記調理皿が前記焼き網へ取り付けられた際にストッパとなるストッパ部と後方に向け付勢されオーブントースター本体に設けられる皿取り付け部に係合される後被係合部とを有する調理皿取り付け部を具え、前記ガイド取り付け部は、前記調理皿の左右の側部上端であって外側方に突き出て形成される側上端縁部の側口縁部の下部および調理皿の左右の側板の外側方の外面を案内し、前記調理皿取り付け部は、左右各１本の線材でそれぞれ形成され、前記網本体の左右側端の前後方向に延びる両側端線材にそれぞれ接合されている。
【発明の効果】
【００１９】
本発明によれば、取扱い勝手が良好であり、構成簡素でコスト低減が可能なオーブントースターおよび焼き網を実現できる。
【図面の簡単な説明】
【００２０】
【図１】本発明に係る実施形態のオーブントースターを示す斜視図である。
【図２】(ａ)は実施形態のオーブントースターのドアを開いた状態を示す斜視図であり、(ｂ)は(ａ)のＡ部拡大図である。
【図３】実施形態のオーブントースター内の焼き網にオーブン皿を取り付けた状態を示す斜視図である。
【図４】(ａ)は実施形態の焼き網を斜め上方から見た斜視図であり、(ｂ)は(ａ)のＢ方向矢視図であり、(ｃ)は(ａ)のＣ方向矢視図である。
【図５】(ａ)は図４(ａ)の実施形態の焼き網を前方から見たＤ方向矢視図であり、(ｂ)は図４(ａ)の焼き網４を後方から見たＥ方向矢視図である。
【図６】実施形態の焼き網を後斜め下方から見た斜視図である。
【図７】(ａ)は図４(ａ)の実施形態の焼き網を上方から見た上面図であり、(ｂ)は図４(ａ)の焼き網を下方から見た下面図である。
【図８】実施形態のオーブン皿を斜め上方から見た斜視図である。
【図９】実施形態のオーブントースターのドアを開いた状態の内部を示す斜視図である。
【図１０】(ａ)は、実施形態のオーブントースターへの焼き網の取り付け過程を示す斜視図であり、(ｂ)は、(ａ)のＦ部拡大図である。
【図１１】実施形態のオーブントースターへの焼き網の取り付け過程を示す斜視図である。
【図１２】(ａ)はオーブントースターの焼き網にオーブン皿を取り付ける過程を示す斜視図であり、(ｂ)は(ａ)のＧ部拡大図である。
【図１３】従来のオーブントースターのドアを開いた状態を示す斜視図である。
【図１４】(ａ)は従来のオーブントースターに使用する焼き網を斜め上方から見た斜視図であり、(ｂ)は従来のオーブントースターの焼き網を斜め下方から見た斜視図である。
【図１５】従来のオーブントースターでパンをトーストする場合のドアを開いた状態を示す斜視図である。
【図１６】従来のオーブントースターに使用するオーブン皿を斜め上方から見た斜視図である。
【図１７】従来のオーブントースターでグラタン等を焼く場合のドアを開いた状態を示す斜視図である。
【図１８】従来のオーブントースターで焼き汁がでるフライ等を焼く場合のドアを開いた状態を示す斜視図である
【発明を実施するための形態】
【００２１】
以下、本発明の実施形態について添付図面を参照して説明する。
図１は、本発明に係る実施形態のオーブントースター１を示す斜視図であり、図２(ａ)は実施形態のオーブントースター１のドア２を開いた状態を示す斜視図であり、図２(ｂ)は図２(ａ)のＡ部拡大図である。
実施形態のオーブントースター１は、前部に、パン等の調理物を出し入れする際に開閉されるドア２が開閉自在に取り付けられている。
ドア２には、開閉の際に把持するドアハンドル２ｈが固定されるとともに、内部で調理中の調理物を目視できるように透明な透視窓２ｗが配設されている。
【００２２】
オーブントースター１のドア２の下方には、調理する際に回動操作され加熱の時間設定がなされるタイマ操作つまみ５が回転自在に取り付けられている。また、オーブントースター本体１Ｈには、オーブントースター１を使用する際に電源を供給する家庭用電源ＡＣに差し込まれる差し込みプラグ１ｄ1をもつ電源コード１ｄが設けられている。
オーブントースター１内には、調理する際に調理物が置かれる焼き網４が取り付けられており、焼き網４の上方および下方には、それぞれ焼き網４上の調理物を加熱するための上ヒータ３ａおよび下ヒータ３ｂが固定されている。
【００２３】
図２に示すように、ドア２の内側の両側部には、焼き網４が係合される一対の前網係合部２ａ１、２ａ２が固定されている。
図３は、オーブントースター１内の焼き網４にオーブン皿６を取り付けた状態を示す斜視図である。
焼き網４上でフライ等を温める場合には、焼き汁が垂れるため、オーブントースター１内の焼き網４の左・右皿取り付け部４ｃ、４ｂにオーブン皿６が取り付けられる。
【００２４】
＜焼き網４＞
次に、オーブントースター１でトースト等を行う際に使用される焼き網４の構成について説明する。
図４(ａ)は焼き網４を前斜め上方から見た斜視図であり、図４(ｂ)は図４(ａ)のＢ方向矢視図であり、図４(ｃ)は図４(ａ)のＣ方向矢視図である。
図５(ａ)は図４(ａ)の焼き網４を前方から見たＤ方向矢視図であり、図５(ｂ)は図４(ａ)の焼き網４を後方から見たＥ方向矢視図である。
【００２５】
図６は、焼き網４を後斜め下方から見た斜視図である。
図７(ａ)は図４(ａ)の焼き網４を上方から見た上面図であり、図７(ｂ)は図４(ａ)の焼き網４を下方から見た下面図である。
図４に示すように、焼き網４は、調理物が載せられる網が形成される網本体４ａの左右側端部にそれぞれ、左・右皿取り付け部４ｃ、４ｂが溶接され構成される。すなわち、焼き網４は、網本体４ａ、左・右皿取り付け部４ｃ、４ｂの３部品が溶接され構成されている。なお、左・右皿取り付け部４ｃ、４ｂはそれぞれ各１本の線材で形成されていることから、構造が簡素である。
【００２６】
網本体４ａは、焼き網４の上に置かれる調理物、オーブン皿６等の後側でのストッパとなるストッパ部４ａ1が、後方端部が上方に屈曲され形成されている。
図４(ａ)、図４(ｂ)に示すように、右皿取り付け部４ｂは、ドア２の一方側の前網係合部２ａ１(図２(ａ)参照)に係合される前被係合部４ｂ１と、オーブン皿６の焼き網４への取り付けに際しての案内および取り付け部となるガイド取り付け部４ｂ２と、焼き網４をオーブントースター１に取り付ける際にオーブントースター１の取り付け軸８に係合される後被係合部４ｂ３と、オーブン皿６の焼き網４への取り付け時の後部のストッパとなるストッパ部４ｂ４とを有している。つまり、右皿取り付け部４ｂは、１本の線材を用いて、前被係合部４ｂ１と、ガイド取り付け部４ｂ２と、後被係合部４ｂ３と、ストッパ部４ｂ４とを有した形状に形成されている。
【００２７】
図４(ａ)、図５(ａ)に示すように、右皿取り付け部４ｂの前被係合部４ｂ１は、上方に延びる上方延在部４ｂ11と上方延在部４ｂ11の上部から外方に延びる外延在部４ｂ12と該外延在部４ｂ12の外端縁から下方に延びる下方延在部４ｂ13とを有する下向きコ字状の形状を呈している。
この前被係合部４ｂ１の形状により、ドア２の開閉動作(図１、図２参照)に際してドア２に対して焼き網４が回転しても、右皿取り付け部４ｂの前被係合部４ｂ１がドア２の一方側部の前網係合部２ａ１に外れることなく確実に係合される。
【００２８】
図４(ａ)、図４(ｂ)に示すように、右皿取り付け部４ｂにおけるオーブン皿６の焼き網４への取り付け・取り外しのガイドおよび取り付け部を成すガイド取り付け部４ｂ２は、前被係合部４ｂ１の上方延在部４ｂ11の下端に連続して後方に向けて直線状に形成されている。
具体的には、右皿取り付け部４ｂのガイド取り付け部４ｂ２は、オーブン皿６を焼き網４に取り付け取り外すに際して、オーブン皿６の一方側部６ｓ１(図８参照)を案内するとともに、オーブン皿６を焼き網４に取り付けた際のオーブン皿６の一方側部６ｓ１の取り付け部となっている。
【００２９】
図４(ｂ)に示すように、右皿取り付け部４ｂの後被係合部４ｂ３は、ガイド取り付け部４ｂ２の後部に連続して、下方に向け屈曲するとともに前方に向け屈曲する形状に形成されている。この形状により、右皿取り付け部４ｂの後被係合部４ｂ３は、オーブントースター本体１Ｈの後方に向け付勢される取り付け軸８に係合した際、外れることが抑制される。
右皿取り付け部４ｂのストッパ部４ｂ４は、後被係合部４ｂ３の下端部に連続して、上後方に向けて形成されるとともに、図５(ｂ)、図６に示すように、その後端部が上方に延びる上延在部４ｂ4１と上延在部４ｂ4１の上部から外方に屈曲した屈曲部４ｂ42(図４(ａ)参照)とを有して形成されている。オーブン皿６を焼き網４に取り付けた際、ストッパ部４ｂ４の上延在部４ｂ4１と屈曲部４ｂ42とにオーブン皿６が当接し、ストッパとなっている。
【００３０】
右皿取り付け部４ｂは、図４(ａ)、図４(ｂ)、図５(ａ)に示すように、前被係合部４ｂ１の上方延在部４ｂ11とストッパ部４ｂ４の屈曲部４ｂ42とが、網本体４ａに溶接され、網本体４ａの一方側に固定されている。
図４(ａ)、図４(ｃ)に示すように、左皿取り付け部４ｃは、ドア２の他方側の前網係合部２ａ２(図２(ａ)参照)に係合される前被係合部４ｃ１と、オーブン皿６の焼き網４への取り付けに際しての案内および取り付け部となるガイド取り付け部４ｃ２と、焼き網４をオーブントースター１に取り付ける際にオーブントースター１の取り付け軸８に係合される後被係合部４ｃ３と、オーブン皿６の取り付け時のストッパとなるストッパ部４ｃ４とを有している。つまり、左皿取り付け部４ｃは、１本の線材を用いて、前被係合部４ｃ１と、ガイド取り付け部４ｃ２と、後被係合部４ｃ３と、ストッパ部４ｃ４とを有した形状に形成されている。
【００３１】
図４(ａ)、図５(ａ)に示すように、左皿取り付け部４ｃの前被係合部４ｃ１は、上方に延びる上方延在部４ｃ11と上方延在部４ｃ1の上部から外方に延びる外延在部４ｃ12と該外延在部４ｃ12の外端縁から下方に延びる下方延在部４ｃ13とを有する下向きコ字状の形状を呈している。
【００３２】
この前被係合部４ｃ１の形状により、ドア２の開閉動作(図１、図２参照)に際して、右皿取り付け部４ｃの前被係合部４ｃ１がドア２の他方側部の前網係合部２ａ２に外れることなく確実に係合される。
図４(ａ)、図４(ｃ)に示すように、左皿取り付け部４ｃにおけるオーブン皿６の焼き網４への取り付け・取り外しのガイドおよび取り付け部を成すガイド取り付け部４ｃ２は、前被係合部４ｃ１の上方延在部４ｃ11の下端に連続して後方に向け直線状に形成されている。
【００３３】
具体的には、左皿取り付け部４ｃのガイド取り付け部４ｃ２は、オーブン皿６を焼き網４の取り付け取り外すに際して、オーブン皿６の他方側部６ｓ２(図８参照)を案内するとともに、オーブン皿６を焼き網４に取り付けた際のオーブン皿６の他方側部６ｓ２の取り付け部となっている。
図４(ｃ)に示すように、左皿取り付け部４ｃの後被係合部４ｃ３は、ガイド取り付け部４ｃ２の後部に連続して、下方に向け屈曲するとともに前方に向け屈曲する形状に形成されている。この形状により、左皿取り付け部４ｃの後被係合部４ｃ３は、オーブントースター本体１Ｈの後方に向け付勢される取り付け軸８に係合した際、外れることが抑制される。
【００３４】
左皿取り付け部４ｃのストッパ部４ｃ４は、後被係合部４ｃ３の下端部に連続して、上後方に向けて形成されるとともに、図５(ｂ)、図６に示すように、その後端部が上方に延びる上延在部４ｃ4１と上延在部４ｃ4１の上部から外方に屈曲した屈曲部４ｃ42(図４(ａ)参照)とを有して形成されている。オーブン皿６を焼き網４に取り付けた際、ストッパ部４ｃ４の上延在部４ｃ4１と屈曲部４ｃ42とにオーブン皿６が当接し、ストッパとなっている。
左皿取り付け部４ｃは、図４(ａ)、図４(ｃ)、図５(ａ)に示すように、前被係合部４ｃ１の上方延在部４ｃ11とストッパ部４ｃ４の屈曲部４ｃ42とが、網本体４ａに溶接され、網本体４ａの他方側に固定されている。
【００３５】
＜オーブン皿６＞
次に、オーブントースター１でグラタン等を調理する際に使用されるオーブン皿６の構成について説明する。
図８は、オーブン皿６を斜め上方から見た斜視図である。
オーブン皿６は、例えば、アルミニウムを用いて、絞り成形等で上方が開口した皿状の扁平な矩形形状に形成されている。オーブン皿６の開口部を形成する上端の周辺部６ｓは、外側に丸みを帯びて(曲率をもって)形成されている。
【００３６】
オーブン皿６は、調理物を載せる長形の複数の凸部６ａと、焼き汁、油等を貯留するための周辺凹部６ｂが周辺部に形成されている。
オーブン皿６は、図４(ａ)に示すように、焼き網４の側部の左・右皿取り付け部４ｃ、４ｂにそれぞれのストッパ部４ｃ４、４ｂ４が設けられることから、従来の図１６に示すオーブン皿１０６の位置決め凹部１０６ａを形成する必要がない。
【００３７】
＜焼き網４の取り付け方法＞
次に、オーブントースター１でトースト等を行う際に使用される焼き網４の取り付け方法について説明する。
図９は、オーブントースター１のドア２を開いた状態の内部を示す斜視図である。
オーブントースター１の内部には、両側部にわたって取り付け軸８が、回転自在にねじりコイルバネ等の弾性材(図示せず)で後方(図９の矢印α１方向)に向け付勢され配設されている。
図１０(ａ)は、オーブントースター１への焼き網４の取り付け過程を示す斜視図であり、図１０(ｂ)は、図１０(ａ)のＦ部拡大図である。
【００３８】
オーブントースター１に、焼き網４を取り付けるに際しては、まず、図９に示すように、オーブントースター１のドア２を開けた状態にする。
続いて、図１０(ａ)に示すように、オーブントースター１の内部に、焼き網４を入れて、焼き網４の両側部の左・右皿取り付け部４ｃ、４ｂのそれぞれの後被係合部４ｃ３、４ｂ３を、図１０(ｂ)に示すように、オーブントースター１の内部の後方に向け付勢されている取り付け軸８に係合する。
【００３９】
図１１は、オーブントースター１への焼き網４の取り付け過程を示す斜視図である。
そして、図１１に示すように、オーブントースター１内の取り付け軸８に係合した焼き網４を、取り付け軸８の後方へ向けての付勢力に抗して手前側(図１１の矢印α２方向)に向け引張る。そして、図２(ｂ)に示すように、焼き網４の両側部の左・右皿取り付け部４ｃ、４ｂのそれぞれの前被係合部４ｃ１、４ｂ１を、ドア２の両側部のそれぞれの前網係合部２ａ２、２ａ１に係合し、図２(ａ)に示すように、焼き網４のオーブントースター１への取り付けが完了する。
【００４０】
＜オーブントースター１内の焼き網４の下へのオーブン皿６の取り付け方法＞
次に、オーブントースター１内の焼き網４の上でフライ等を焼く場合の焼き網４の下へのオーブン皿６の取り付け方法について、説明する。
図１２(ａ)はオーブントースター１内の焼き網４にオーブン皿６を取り付ける過程を示す斜視図であり、図１２(ｂ)は図１２(ａ)のＧ部拡大図である。
オーブントースター１内の焼き網４の下へオーブン皿６を取り付けるに際しては、まず、図２(ａ)に示すように、オーブントースター１を、ドア２を開けた状態にする。
【００４１】
そして、オーブン皿６を、手前側からオーブントースター１内の焼き網４の両側部の左・右皿取り付け部４ｃ、４ｂのそれぞれのガイド取り付け部４ｃ２、４ｂ２に、図１２(ｂ)に示すように、オーブン皿６の両側部６ｓ２、６ｓ１を載せて奥方(図１２(ｂ)の矢印α３方向)に押し込み、オーブン皿６が焼き網４の両側部の左・右皿取り付け部４ｃ、４ｂのそれぞれストッパ部４ｃ４、４ｂ４に当接させる。
これにより、図３に示すように、オーブントースター１内の焼き網４にオーブン皿６が取り付けられる。
【００４２】
＜オーブン皿６での調理＞
一方、オーブン皿６の上で、グラタン等を焼く場合には、まず、図２(ａ)に示すように、オーブントースター１を、ドア２を開けた状態にする。そして、オーブントースター１内の焼き網４の上にオーブン皿６を載置し、オーブン皿６の上に調理物を置く。続いて、図１に示すように、オーブントースター１のドア２閉じ、タイマ操作つまみ５で調理時間を設定し、調理が行われる。
【００４３】
上記構成によれば、焼き網４でフライを温める等の油が落ちる料理を行う場合、オーブン皿６を焼き網４の左・右皿取り付け部４ｃ、４ｂのガイド取り付け部４ｃ２、４ｂ２に沿ってセットするだけでよい。トースト等の焼き網４で焼く料理を行う場合には、オーブン皿６を引き出し外すだけでよく、焼き網４の出し入れの必要がない。そのため、焼き網４での油が落ちるオーブン皿６を使用する料理を行う場合と焼き網４のみを用いて焼く料理の場合との取扱いが、オーブン皿６の出し入れだけで済む。
【００４４】
また、オーブン皿６を、図２(ａ)に示すオーブントースター１内にセットする場合も、従来技術のように、図１６に示すオーブン皿１０６の位置決め部の位置決め凹部１０６ａをオーブントースター１(図１３参照)内の被位置決め部の網支持部材１０３に係合する必要がなく、図１２(ａ)に示すように、オーブン皿６をオーブントースター１内の焼き網４に入れるだけでよいので、使い勝手がよい。
【００４５】
一方、グラタン等を焼く場合には、オーブントースター１内の焼き網４の上にオーブン皿６を置くだけでよい。
従って、オーブントースター１において、トースト等の焼き網４のみを使用する調理と、フライの温め等の焼き網４の下にオーブン皿６をセットする調理と、グラタン等をオーブン皿６の上で焼く調理との各モードに移行するための使用時の取扱いが、オーブン皿６の出し入れだけで行える。そのため、オーブントースター１の使用時の取扱い性が良好である。
【００４６】
また、オーブントースター１には、焼き網４が常時セットされるので、焼き網４のみ使用する調理時には、オーブン皿６のみがオーブントースター１の外に置かれる。或いは、オーブン皿６の上で調理が行われる場合には焼き網４の上にオーブン皿６が置かれ、また、フライの温め等の調理の場合には焼き網４の下にオーブン皿６がセットされる。
そのため、オーブントースター１の外空間には、オーブン皿６の置き場所さえ確保すればよく、オーブントースター１を使用するためのスペースが小スペースで済む。
【００４７】
また、焼き網４は、網本体４ａに、両サイド一対の線材の左・右皿取り付け部４ｃ、４ｂを溶接で設けるだけで、オーブン皿６の取り付け部の機能とオーブントースター本体１Ｈへの焼き網４の取り付け部の機能を兼用できる。そのため、これら両機能をもつ焼き網４が、網本体４ａと左・右皿取り付け部４ｃ、４ｂとの３部品で構成され、部品点数が少ない。また、網本体４ａの両サイドに一対の線材の左・右皿取り付け部４ｃ、４ｂを溶接するだけなので、製造容易で製造コストが安価である。
【００４８】
さらに、焼き網４の左・右皿取り付け部４ｃ、４ｂに、オーブン皿６のストッパとなるストッパ部４ｃ４、４ｂ４を設けるので、オーブン皿６に抜け落ち防止用のストッパである凹部を形成する必要がない。そのため、オーブン皿６の製造が簡易化する。
したがって、設計、製造が容易であり、部品コスト、製造コストが抑えられ、コスト低減が可能である。
【００４９】
また、焼き網４をオーブントースター１に取り付けるに際しては、焼き網４をドア２の前網係合部２ａ１、２ａ２とオーブントースター本体１Ｈ内の取り付け軸８とに係合するだけで取り付けられ、焼き網４をオーブントースター１から取り外すに際しては、焼き網４を手前に引きドア２の前網係合部２ａ１、２ａ２から外した後、オーブントースター本体１Ｈ内の取り付け軸８から外すだけでよい。
【００５０】
そのため、焼き網４に異常が発生した場合には、焼き網４を交換するだけでよいので、メンテナンスが容易である。
また、オーブン皿６を取り付ける焼き網４の左・右皿取り付け部４ｃ、４ｂは連続する１本の線材で形成されるので、オーブン皿６の焼き網４への取り付け、取り外しに際して、オーブン皿６が左・右皿取り付け部４ｃ、４ｂにひっかかることなく、スムーズな出し入れが可能である。
【００５１】
なお、前記実施形態では、焼き網４の網本体４ａ、左・右皿取り付け部４ｃ、４ｂを線材で構成する場合を例示したが、説明した所定の機能が果たせるように、それぞれを耐熱性の樹脂材料で構成してもよく、線材以外で構成してもよい。
また、前記実施形態では、焼き網４が、網本体４ａと左・右皿取り付け部４ｃ、４ｂとの３部品の線材で構成する場合を例示したが、所定の機能が果せるように、耐熱性の材料で一体に形成してもよい。
【００５２】
また、前記実施形態では、網本体４ａに左・右皿取り付け部４ｃ、４ｂを溶接して取り付ける場合を例示したが、網本体４ａに左・右皿取り付け部４ｃ、４ｂを、塑性変形を利用して取り付けてもよい。また、他の部品を用いて、網本体４ａに左・右皿取り付け部４ｃ、４ｂを取り付けてもよく、網本体４ａに左・右皿取り付け部４ｃ、４ｂを取り付ける方法は任意に選択できる。
【００５３】
なお、前記実施形態では、焼き網４の左・右皿取り付け部４ｃ、４ｂは、それぞれ１本の線材で構成する場合を例示したが、複数の線材で構成してもよい。しかしながら、焼き網４の左・右皿取り付け部４ｃ、４ｂは、それぞれ１本の線材で構成する方が、コストが廉価であるので、より望ましい。
なお、前記実施形態では、ストッパ部４ｃ４、４ｂ４を左・右皿取り付け部４ｃ、４ｂに形成した場合を例示したが、左・右皿取り付け部４ｃ、４ｂとは別体に形成することも可能である。
【符号の説明】
【００５４】
１      オーブントースター
１Ｈ    オーブントースター本体
２      ドア
２ａ１、２ａ２    前網係合部(前係合部)
４      焼き網
４ａ    網本体
４ｂ    右皿取り付け部(調理皿取り付け部)
４ｂ１  前被係合部
４ｂ２  ガイド取り付け部
４ｂ３  後被係合部
４ｂ４  ストッパ部
４ｃ    左皿取り付け部(調理皿取り付け部)
４ｃ１  前被係合部
４ｃ２  ガイド取り付け部
４ｃ３  後被係合部
４ｃ４  ストッパ部
６      オーブン皿(調理皿)
８      取り付け軸(皿取り付け部)
【図１】
0005711485.tif 000002
【図２】
0005711485.tif 000003
【図３】
0005711485.tif 000004
【図４】
0005711485.tif 000005
【図５】
0005711485.tif 000006
【図６】
0005711485.tif 000007
【図７】
0005711485.tif 000008
【図８】
0005711485.tif 000009
【図９】
0005711485.tif 000010
【図１０】
0005711485.tif 000011
【図１１】
0005711485.tif 000012
【図１２】
0005711485.tif 000013
【図１３】
0005711485.tif 000014
【図１４】
0005711485.tif 000015
【図１５】
0005711485.tif 000016
【図１６】
0005711485.tif 000017
【図１７】
0005711485.tif 000018
【図１８】
0005711485.tif 000019